(57)【要約】【課題】  フラットランプを提供する。【解決手段】  互いに対向するように配置され、その間に放電空間を形成する下部基板及び上部基板と、下部基板と上部基板のうち少なくとも一つに形成される複数の放電電極と、下部基板と上部基板との間に設けられて、下部基板と上部基板との間隔を一定に維持する複数のスペーサと、前記放電空間の内壁に形成される蛍光体層と、各スペーサの内部に少なくとも一つ設けられて、放電電極に印加される電圧に応じて電圧を誘起する少なくとも一つの補助電極と、を備えることを特徴とするフラットランプ。【選択図】  図２
2006004946.tif 000002
【特許請求の範囲】
【請求項１】
互いに対向するように配置され、その間に放電空間を形成する下部基板及び上部基板と、
前記下部基板と前記上部基板のうち少なくとも一方に形成される複数の放電電極と、
前記下部基板と前記上部基板との間に設けられて、前記下部基板と前記上部基板との間隔を一定に維持する複数のスペーサと、
前記放電空間の内壁に形成される蛍光体層と、
前記各スペーサ内部に少なくとも一つ設けられて、前記放電電極に印加される電圧に応じて電圧を誘起する補助電極と、
を備えることを特徴とするフラットランプ。
【請求項２】
前記放電電極は、前記下部基板の下面と前記上部基板の上面のうち少なくとも一方に形成されることを特徴とする請求項１に記載のフラットランプ。
【請求項３】
前記スペーサは、前記放電電極と直交する方向に設けられることを特徴とする請求項１に記載のフラットランプ。
【請求項４】
前記スペーサは、四角形の断面を持つことを特徴とする請求項１に記載のフラットランプ。
【請求項５】
前記スペーサは、円形の断面を持つことを特徴とする請求項１に記載のフラットランプ。
【請求項６】
前記スペーサは、誘電物質からなることを特徴とする請求項１に記載のフラットランプ。
【請求項７】
前記誘電物質は、透明なガラス材質であることを特徴とする請求項６に記載のフラットランプ。
【請求項８】
前記スペーサの内部には、２個の補助電極が前記スペーサの長手方向に互いに平行に設けられることを特徴とする請求項１に記載のフラットランプ。
【請求項９】
前記２個の補助電極は、水平方向に互いに離隔して配置されることを特徴とする請求項８に記載のフラットランプ。
【請求項１０】
前記２個の補助電極は、垂直方向に互いに離隔して配置されることを特徴とする請求項８に記載のフラットランプ。
【請求項１１】
前記補助電極は、金属からなることを特徴とする請求項１に記載のフラットランプ。
【請求項１２】
前記金属は、銀、銅及びクロムからなる群より選択される少なくとも一種からなることを特徴とする請求項１１に記載のフラットランプ。
【請求項１３】
前記下部基板と前記上部基板との間には、複数の補助スペーサが、前記スペーサと直交する方向に設けられることを特徴とする請求項１に記載のフラットランプ。
【請求項１４】
前記複数の補助スペーサの少なくとも一部は、前記スペーサより低く形成されることを特徴とする請求項１３に記載のフラットランプ。
【請求項１５】
前記複数の補助スペーサの少なくとも一部の表面には、蛍光体層が形成されることを特徴とする請求項１３に記載のフラットランプ。
【請求項１６】
前記放電空間の内部には、ネオンガスとキセノンガスとが混合された放電ガスが満たされることを特徴とする請求項１に記載のフラットランプ。
【請求項１７】
互いに対向するように配置されて、その間に放電空間を形成する下部基板及び上部基板と、
前記下部基板と前記上部基板のうち少なくとも一方に形成される複数の放電電極と、
前記下部基板と前記上部基板との間に設けられて、前記下部基板と前記上部基板との間隔を一定に維持する複数のスペーサと、
前記放電空間の内壁に形成される蛍光体層と、
前記下部基板と前記上部基板のうち少なくとも一方に形成されて、前記放電電極に印加される電圧に応じて電圧を誘起する複数の補助電極と、
を備えることを特徴とするフラットランプ。
【請求項１８】
前記放電電極は、前記下部基板の下面と前記上部基板の上面のうち少なくとも一方に形成されることを特徴とする請求項１７に記載のフラットランプ。
【請求項１９】
前記補助電極は、前記放電電極と直交する方向に形成されることを特徴とする請求項１７に記載のフラットランプ。
【請求項２０】
前記補助電極は、前記下部基板の上面と前記上部基板の下面のうち少なくとも一方に形成されることを特徴とする請求項１７に記載のフラットランプ。
【請求項２１】
前記補助電極が設けられた前記下部基板の上面と前記上部基板の下面のうち少なくとも一方に、前記補助電極を覆うように誘電体層が形成されることを特徴とする請求項２０に記載のフラットランプ。
【請求項２２】
前記補助電極は、透明な導電性材料からなることを特徴とする請求項１７に記載のフラットランプ。
【請求項２３】
前記透明な導電性材料は、ＩＴＯからなることを特徴とする請求項２２に記載のフラットランプ。
【請求項２４】
前記補助電極は、銀、銅及びクロムからなる群より選択される少なくとも一種からなることを特徴とする請求項１７に記載のフラットランプ。
【請求項２５】
前記スペーサは、前記放電電極と直交する方向に設けられることを特徴とする請求項１７に記載のフラットランプ。
【請求項２６】
前記スペーサは、四角形の断面を持つことを特徴とする請求項１７に記載のフラットランプ。
【請求項２７】
前記スペーサは、円形の断面を持つことを特徴とする請求項１７に記載のフラットランプ。
【請求項２８】
前記下部基板と前記上部基板との間には、複数の補助スペーサが、前記スペーサと直交する方向に設けられることを特徴とする請求項１７に記載のフラットランプ。
【請求項２９】
前記複数の補助スペーサの少なくとも一部は、前記スペーサより低く形成されることを特徴とする請求項２８に記載のフラットランプ。
【請求項３０】
前記複数の補助スペーサの少なくとも一部の表面には、蛍光体層が形成されることを特徴とする請求項２８に記載のフラットランプ。
【請求項３１】
前記放電空間の内部には、ネオンガスとキセノンガスとが混合された放電ガスが満たされることを特徴とする請求項１７に記載のフラットランプ。
【発明の詳細な説明】
【技術分野】
【０００１】
本発明はフラットランプに関し、より詳細には、放電電圧を低下させ、発光効率を向上させることができる改善された構造のフラットランプに関する。
【背景技術】
【０００２】
主に、液晶ディスプレイ（Ｌｉｑｕｉｄ  Ｃｒｙｓｔａｌ  Ｄｉｓｐｌａｙ；ＬＣＤ）のバックライトとして利用されているフラットランプは、従来は冷陰極蛍光ランプを利用したエッジ・ライト方式またはダイレクト・ライト方式であったが、発光効率、輝度の均一度などの観点から、発光面の下部全体が放電空間となる面放電型や対向放電型フラットランプが開発されている。面放電型フラットランプは、対向放電型フラットランプに比べて放電特性が安定しているという利点があるが、全体的な輝度は、対向放電型フラットランプに比べて劣っているのが一般的である。
【０００３】
図１は、従来の面放電型フラットランプの一例を示す。図１に示すように、下部基板１０と上部基板２０とが、複数のスペーサ１４により一定の間隔で離隔されて互いに対向するように配置される。このような下部基板１０と上部基板２０との間には、プラズマ放電がおきる放電空間が形成され、この放電空間の内部には、主にネオン（Ｎｅ）ガスとキセノン（Ｘｅ）ガスとが混合された放電ガスが満たされる。
【０００４】
前記下部基板１０と上部基板２０の内面（下部基板１０の上面及び上部基板２０の下面）及びスペーサ１４の両側面には、放電によって発生した紫外線によって励起されて、可視光を発生する蛍光体層１３が形成されている。そして、前記下部基板１０及び上部基板２０上には、プラズマ放電を引き起こすための複数の放電電極が形成される。具体的には、下部基板１０及び上部基板２０の外面（下部基板１０の下面及び上部基板２０の上面）には、それぞれ第１、第２下部電極１２ａ、１２ｂと第１、第２上部電極２２ａ、２２ｂとが対をなして形成される。ここで、第１下部電極１２ａ及び第１上部電極２２ａには同じ電位が印加されて、これらの間には放電が誘導されない。そして、第２下部電極１２ｂ及び第２上部電極２２ｂにもやはり同じ電位が印加されて、これらの間に放電が誘導されない。一方、第１下部電極１２ａと第２下部電極１２ｂとの間及び第１上部電極２２ａと第２上部電極２２ｂとの間には、それぞれ所定の電位差が存在して、下部基板１０または上部基板２０に平行な方向に面放電が誘導される。
【０００５】
しかし、前記のような構造のフラットランプでは、発光効率を高めるために、放電電極間の間隔を広くするか、または、Ｘｅガスの分圧や放電ガスの圧力を高めれば、放電電圧が上昇するという問題が起こる。
【発明の開示】
【発明が解決しようとする課題】
【０００６】
本発明は、前記のような問題点を鑑みてなされたものであり、放電電圧を低下させし放電効率を向上させることができる改善された構造のフラットランプを提供する。
【課題を解決するための手段】
【０００７】
前記目的を達成するために、本発明の実施形態によるフラットランプは、互いに対向するように配置され、その間に放電空間を形成する下部基板及び上部基板と、前記下部基板と上部基板のうち少なくとも一方に形成される複数の放電電極と、前記下部基板と上部基板との間に設けられて、前記下部基板と上部基板との間隔を一定に維持する複数のスペーサと、前記放電空間の内壁に形成される蛍光体層と、前記各スペーサ内部に少なくとも一つ設けられて、前記放電電極に印加される電極に応じて電圧を誘起する補助電極と、を備える。
【０００８】
前記放電電極は、前記下部基板の下面と上部基板の上面のうち少なくとも一方に形成されることが望ましい。
【０００９】
前記スペーサは、前記放電電極と直交する方向に設けられることが望ましく、さらに、前記スペーサは、四角形の断面や円形の断面を持つことが望ましい。そして、前記スペーサは、透明なガラス材質の誘電物質からなることが望ましい。
【００１０】
前記スペーサの内部には、２個の補助電極が前記スペーサの長手方向に互いに平行に設けられることが望ましい。前記２個の補助電極は、水平方向に互いに離隔して配置されることもでき、垂直方向に互いに離隔して配置されることもできる。
【００１１】
前記補助電極は、金属からなることが望ましく、前記金属は、銀（Ａｇ）、銅（Ｃｕ）及びクロム（Ｃｒ）からなる群より選択される少なくとも一種からなってもよい。
【００１２】
前記下部基板と上部基板との間には、複数の補助スペーサが前記スペーサと直交する方向に設けられる。ここで、前記複数の補助スペーサの少なくとも一部は、前記スペーサより低く形成されることが望ましい。そして、前記複数の補助スペーサの少なくとも一部の表面には、前記蛍光体層が形成されることが望ましい。
【００１３】
前記放電空間の内部には、ＮｅガスとＸｅガスとが混合された放電ガスが満たされることが望ましい。
【００１４】
本発明の他の実施形態によるフラットランプは、互いに対向するように配置されて、その間に放電空間を形成する下部基板及び上部基板と、前記下部基板と上部基板のうち少なくとも一方に形成される複数の放電電極と、前記下部基板と上部基板との間に設けられて、前記下部基板と上部基板との間隔を一定に維持する複数のスペーサと、前記放電空間の内壁に形成される蛍光体層と、前記下部基板と上部基板のうち少なくとも一方に形成されて、前記放電電極に印加される電圧に応じて電圧を誘起する複数の補助電極と、を備える。
【００１５】
前記放電電極は、前記下部基板の下面と上部基板の上面のうち少なくとも一方に形成されることが望ましい。
【００１６】
前記補助電極は、前記放電電極と直交する方向に形成されることが望ましい。前記補助電極は、前記下部基板の上面と上部基板の下面のうち少なくとも一方に形成され、前記補助電極が設けられた前記下部基板の上面と上部基板の下面のうち少なくとも一方には、前記補助電極を覆うように誘電体層が形成されることが望ましい。
【００１７】
前記補助電極は、ＩＴＯ（Ｉｎｄｉｕｍ  Ｔｉｎ  Ｏｘｉｄｅ）のような透明な導電性材料から構成されることが望ましい。一方、前記補助電極は、Ａｇ、Ｃｕ及びＣｒからなる群より選択される少なくとも一種からなることが望ましい。
【発明の効果】
【００１８】
本発明によるフラットランプによれば、放電電極に電圧が印加されることによって電圧を誘起する補助電極をスペーサ内部に設けることによって、放電電圧を低めることができる。これにより、Ｘｅガスの分圧及び放電ガスの圧力を高めることができて、発光効率を向上させることができる。
【発明を実施するための最良の形態】
【００１９】
以下、添付された図面を参照して本発明による望ましい実施形態を詳細に説明する。図面で、同じ参照符号は同じ構成要素を示す。
【００２０】
図２は、本発明の一実施形態によるフラットランプの一部分離斜視図である。そして、図３及び図４は、それぞれ図２に図示されたフラットランプの概略断面図及び平面図である。
【００２１】
図２ないし図４に示すように、下部基板１１０と上部基板１２０とが離隔して互いに対向するように配置される。このような下部基板１１０と上部基板１２０との間には、プラズマ放電がおきる放電空間が形成され、この放電空間の内部には、主にＮｅガスとＸｅガスとが混合された放電ガスが満たされる。
【００２２】
前記下部基板１１０の下面には、放電電極である第１及び第２下部電極１１２ａ、１１２ｂが対をなして互いに平行にストライプ状に形成される。ここで、前記第１及び第２下部電極１１２ａ、１１２ｂに所定の電圧が印加されれば、放電空間の内部でプラズマ放電がおきる。そして、前記上部基板１２０の上面にも、放電電極である第１及び第２上部電極１２２ａ、１２２ｂが対をなして、前記第１及び第２下部電極１１２ａ、１１２ｂと平行な方向に、ストライプ状に形成される。ここで、前記第１及び第２上部電極１２２ａ、１２２ｂにも、プラズマ放電を引き起こすために所定の電圧が印加される。なお、本実施形態の変形例として、下部基板１１０の下面にのみ第１及び第２下部電極１１２ａ、１１２ｂを形成してもよいし、または、上部基板１２０の上面にのみ第１及び第２上部電極１２２ａ、１２２ｂを形成してもよい。
【００２３】
前記下部基板１１０と上部基板１２０との間には、下部基板１１０と上部基板１２０とが互いに一定の間隔を維持するように複数のスペーサ１１４が設けられる。このようなスペーサ１１４は、放電電極１１２ａ、１１２ｂ、１２２ａ、１２２ｂと直交する方向に互いに平行に配置される。前記スペーサ１１４は、四角形の断面を持つ。そして、このようなスペーサ１１４は誘電物質からなり、望ましくは、透明なガラス材質からなる。
【００２４】
前記各スペーサ１１４の内部には、第１及び第２補助電極１４０ａ、１４０ｂがスペーサ１１４の長手方向に互いに平行に設けられ、前記第１及び第２補助電極１４０ａ、１４０ｂは、水平方向に互いに離隔して配置される。前記第１及び第２補助電極１４０ａ、１４０ｂは、導電性材料であるＡｇ、Ｃｕ及びＣｒのうち少なくともいずれか一種の金属からなる。このような第１及び第２補助電極１４０ａ、１４０ｂは、放電電極１１２ａ、１１２ｂ、１２２ａ、１２２ｂに所定の電圧を印加することで電圧を誘起するフローティング電極である。なお、本実施形態の変形例として、スペーサ１１４の内部に１つ又は３つ以上の補助電極を設けてもよい。
【００２５】
前記放電空間の内壁には、放電によって発生した紫外線によって励起されて、可視光を発生する蛍光体層１３０が形成される。すなわち、前記蛍光体層１３０は、下部基板１１０の上面、上部基板１２０の下面及びスペーサ１１４の両側面に所定の厚さに塗布される。
【００２６】
前記のような構造のフラットランプで、第１及び第２下部電極１１２ａ、１１２ｂに、例えば、２０００Ｖ、０Ｖの電圧が印加され、第１及び第２上部電極１２２ａ、１２２ｂに、例えば、２０００Ｖ、０Ｖの電圧が印加されれば、第１及び第２補助電極１４０ａ、１４０ｂには、２０００Ｖより低い所定の電圧が誘起される。そして、このように誘起された電圧によって、第１、第２補助電極１４０ａ、１４０ｂと第２下部電極１１２ｂとの間及び第１、第２補助電極１４０ａ、１４０ｂと第２上部電極１２２ｂとの間には、開始放電が立ち上がり、これにより、放電電圧は従来のフラットランプにおける電圧より低くなる。そして、開始放電が発生した後には、維持放電が第１下部電極１１２ａと第２下部電極１１２ｂとの間及び第１上部電極１２２ａと第２上部電極１２２ｂとの間に立ち上がる。
【００２７】
図５は、本発明の実施形態によるフラットランプの変形例を示す。図５に示すように、下部基板１１０と上部基板１２０との間に、スペーサ１１４と直交する方向に複数の補助スペーサ１１５が互いに平行に設けられる。ここで、前記補助スペーサ１１５は、スペーサ１１４より低く形成されることが望ましい。そして、前記補助スペーサ１１５の表面、すなわち、補助スペーサ１１５の両側面及び上面には、蛍光体層１３０が形成される。このように、下部基板１１０と上部基板１２０との間に補助スペーサ１１５を備え、前記補助スペーサ１１５の表面に蛍光体層１３０を形成すれば、図２に図示されたフラットランプよりさらに多くの可視光を発生することができるので発光効率が向上する。
【００２８】
図６ないし図８は、本発明の他の実施形態によるフラットランプの断面をそれぞれ図示したものである。以下では、前述した実施形態と異なる点のみを説明する。
【００２９】
まず、図６に図示されたフラットランプでは、下部基板１１０と上部基板１２０との間には、円形の断面を持つ複数のスペーサ２１４が設けられる。そして、前記各スペーサ２１４の内部には、放電電極（図２の１１２ａ、１１２ｂ、１２２ａ、１２２ｂ）に印加された電圧によって電圧が誘起される第１及び第２補助電極２４０ａ、２４０ｂが設けられる。なお、本実施形態の変形例として、スペーサ２１４の内部に１つ又は３つ以上の補助電極を設けてもよい。このように、円筒形のスペーサ２１４を下部基板１１０と上部基板１２０との間に備えれば、スペーサ２１４の表面にさらに多くの蛍光体層１３０を塗布でき、これにより、ランプの発光効率が向上する。そして、スペーサ２１４と上部基板１２０とが接触する面積が減ることによって、さらに多くの可視光が上部基板１２０を通じて放射される。
【００３０】
図７に図示されたフラットランプでは、下部基板１１０と上部基板１２０との間には、複数のスペーサ１１４が設けられ、各スペーサ１１４の内部には、放電電極（図２の１１２ａ、１１２ｂ、１２２ａ、１２２ｂ）に印加された電圧によって電圧を誘起する一つの補助電極３４０が設けられる。なお、本実施形態の変形例として、スペーサ１１４を円筒形に形成してもよい。
【００３１】
図８に図示されたフラットランプでは、下部基板１１０と上部基板１２０との間に複数のスペーサ１１４が設けられ、各スペーサ１１４の内部には、放電電極（図２の１１２ａ、１１２ｂ、１２２ａ、１２２ｂ）に印加された電圧によって電圧を誘起する第１及び第２補助電極４４０ａ、４４０ｂが垂直方向（図８の上下方向）、すなわち、各スペーサの上下部に互いに離隔して配置される。なお、本実施形態の変形例として、スペーサ１１４の内部に３つ以上の補助電極を垂直方向に設けてもよく、スペーサ１１４を円筒形に形成してもよい。
【００３２】
図９は、本発明のさらに他の実施形態によるフラットランプの一部分離斜視図であり、図１０は、図９に図示されたフラットランプの断面図である。
【００３３】
図９及び図１０に示すように、下部基板５１０と上部基板５２０とが互いに離隔されて対向するように配置され、その間には放電空間が形成される。この放電空間の内部には、主にＮｅガスとＸｅガスとが混合された放電ガスが満たされる。前記下部基板５１０の下面には、放電電極である第１及び第２下部電極５１２ａ、５１２ｂが対をなして互いに平行にストライプ状に形成される。そして、前記上部基板５２０の上面にも、放電電極である第１及び第２上部電極５２２ａ、５２２ｂが、第１及び第２下部電極５１２ａ、５１２ｂと平行な方向に対をなして形成される。なお、本実施形態の変形例として、下部基板５１０の下面にのみ第１及び第２下部電極５１２ａ、５１２ｂを形成してもよいし、または、上部基板５２０の上面にのみ第１及び第２上部電極５２２ａ、５２２ｂを形成してもよい。
【００３４】
前記下部基板５１０と上部基板５２０との間には、下部基板５１０と上部基板５２０とが一定の間隔を維持するように、複数のスペーサ５１４が設けられる。このようなスペーサ５１４は、放電電極５１２ａ、５１２ｂ、５２２ａ、５２２ｂと直交する方向に、互いに平行に配置される。しかし、前記スペーサ５１４は、放電電極５１２ａ、５１２ｂ、５２２ａ、５２２ｂと平行な方向に配置されることもできる。前記スペーサ５１４は、透明なガラス材質からなることが望ましい。本実施形態ではスペーサ５１４の断面形状は四角形であるが、変形例として、円筒形のスペーサを設けてもよい。
【００３５】
そして、前記下部基板５１０と上部基板５２０との間には、複数の補助スペーサ５１５がスペーサ５１４と直交する方向に設けられる。ここで、前記補助スペーサ５１５は、スペーサ５１４より低く形成されることが望ましい。
【００３６】
前記下部基板５１０の上面には、第１及び第２下部電極５１２ａ、５１２ｂと直交する方向に第１補助電極５４０ａが互いに平行に形成される。そして、前記上部基板５２０の下面には、第１及び第２上部電極５２２ａ、５２２ｂと直交する方向に、第２補助電極５４０ｂが互いに平行に形成される。なお、本実施形態の変形例として、下部基板５１０の上面と上部基板５２０の下面のいずれか一方のみに補助電極を形成してもよい。前記第１及び第２補助電極５４０ａ、５４０ｂは、透明な導電性材料、例えばインジウム・錫酸化物（Ｉｎｄｉｕｍ  Ｔｉｎ  Ｏｘｉｄｅ；ＩＴＯ）からなることが望ましい。あるいは導電性材料であるＡｇ、Ｃｕ及びＣｒのうち少なくともいずれか一種の金属からなってもよい。このような第１及び第２補助電極５４０ａ、５４０ｂは、それぞれ第１、第２下部電極５１２ａ、５１２ｂ及び第１、第２上部電極５２２ａ、５２２ｂに所定の電圧を印加することで、電圧を誘起するフローティング電極である。
【００３７】
前記下部基板５１０の上面には、第１補助電極５４０ａを覆うように所定厚さの第１誘電体層５１１が形成される。そして、前記上部基板５２０の下面には、第２補助電極５４０ｂを覆うように、所定厚さの第２誘電体層５２１が形成される。なお、本実施形態の変形例として、補助電極が設けられた、下部基板５１０の上面又は上部基板５２０の下面のいずれか一方のみに誘導体層を形成してもよい。
【００３８】
前記放電空間の内壁をなす第１誘電体層５１１の上面、第２誘電体層５２１の下面及びスペーサ５１４の両側面には、蛍光体層５３０が形成される。また、前記蛍光体層５３０は、前記補助スペーサ５１５の両側面及び上面にも形成される。
【００３９】
前記のような構造のフラットランプで、第１及び第２下部電極５１２ａ、５１２ｂに、例えば、２０００Ｖ、０Ｖの電圧が印加され、第１及び第２上部電極５２２ａ、５２２ｂに、例えば、２０００Ｖ、０Ｖの電圧が印加されれば、第１補助電極５４０ａ及び第２補助電極５４０ｂには、２０００Ｖより低い所定の電圧が誘起される。そして、このように誘起された電圧によって、第１補助電極５４０ａと第２下部電極５１２ｂとの間及び第２補助電極５４０ｂと第２上部電極５２２ｂとの間には、開始放電が起き、これにより、放電電圧は、従来のフラットランプにおける電圧より低くなる。そして、開始放電が発生した後には、維持放電が、第１下部電極５１２ａと第２下部電極５１２ｂとの間及び第１上部電極５２２ａと第２上部電極５２２ｂとの間に立ち上がる。
【００４０】
図１１は、図１に図示された従来のフラットランプと、図２に図示された本発明の実施形態によるフラットランプとの放電電圧を比較するグラフである。図１１でＡは、従来のフラットランプで放電ガスの圧力が４０Ｔｏｒｒであるときの放電開始電圧Ｖｆ及び放電維持電圧Ｖｓを表したものであり、Ｂ、Ｃ、Ｄは、本発明の実施形態によるフラットランプで放電ガスの圧力がそれぞれ４０Ｔｏｒｒ、１００Ｔｏｒｒ、１５０Ｔｏｒｒであるときの放電開始電圧Ｖｆ及び放電維持電圧Ｖｓを表したものである。そして、図１１で、放電ガスの組成は、Ａ、Ｂ、Ｃ、Ｄの場合にＮｅ−Ｘｅ５０％であって、いずれも同一である。図１１に示すように、放電ガスの圧力が４０Ｔｏｒｒである場合、従来のフラットランプより、本発明の実施形態によるフラットランプで放電開始電圧Ｖｆが約３５．７％減少することが分かる。
【００４１】
図１２は、図１に図示された従来のフラットランプと、図２に図示された本発明の実施形態によるフラットランプとの輝度を図示したグラフであり、図１３は、図１に図示された従来のフラットランプと、図２に図示された本発明の実施形態によるフラットランプとの発光効率を図示したグラフである。図１２及び図１３で、Ａは、従来のフラットランプで放電ガスの圧力が４０Ｔｏｒｒ、放電維持電圧が２ｋＶであるときの輝度及び発光効率を表したものであり、Ｂ、Ｃ、Ｄは、本発明の実施形態によるフラットランプで放電ガスの圧力がそれぞれ４０Ｔｏｒｒ、１００Ｔｏｒｒ、１５０Ｔｏｒｒであり、放電維持電圧がそれぞれ２ｋＶ、２ｋＶ、２．６ｋＶであるときの輝度及び発光効率を表したものである。そして、図１２及び図１３で、放電ガスの組成は、Ａ、Ｂ、Ｃ、Ｄの場合にＮｅ−Ｘｅ５０％であって、いずれも同一である。図１２及び図１３に示すように、同じ放電ガスの組成及び放電維持電圧で、従来のフラットランプより、本発明の実施形態によるフラットランプで輝度は約１３％向上し、発光効率は約５１％向上したことが分かる。
【００４２】
以上本発明の望ましい実施形態を説明したが、これは例示的なものに過ぎず、当業者ならば、この実施形態の多様な変形及び他の均等な実施形態が可能であるという点を理解できるであろう。したがって、本発明の真の技術的保護範囲は、特許請求の範囲により定められねばならない。
【産業上の利用可能性】
【００４３】
本発明は、主にＬＣＤのバックライトとして開発されているフラットランプの関連技術分野に好適に用いられる。
【図面の簡単な説明】
【００４４】
【図１】従来のフラットランプの一部斜視図である。
【図２】本発明の実施形態によるフラットランプの一部分離斜視図である。
【図３】図２に図示されたフラットランプの概略断面図である。
【図４】図２に図示されたフラットランプの概略平面図である。
【図５】本発明の実施形態によるフラットランプの変形例を示す一部分離斜視図である。
【図６】本発明の他の実施形態によるフラットランプの断面図である。
【図７】本発明のさらに他の実施形態によるフラットランプの断面図である。
【図８】本発明のさらに他の実施形態によるフラットランプの断面図である。
【図９】本発明のさらに他の実施形態によるフラットランプの一部分離斜視図である。
【図１０】図９に図示されたフラットランプの断面図である。
【図１１】従来のフラットランプと本発明によるフラットランプとの放電電圧を比較するグラフである。
【図１２】従来のフラットランプと本発明によるフラットランプとの輝度を比較するグラフである。
【図１３】従来のフラットランプと本発明によるフラットランプとの効率を比較するグラフである。
【符号の説明】
【００４５】
１１０    下部基板
１１２ａ  第１下部電極
１１２ｂ  第２下部電極
１１４    スペーサ
１２０    上部基板
１２２ａ  第１上部電極
１２２ｂ  第２上部電極
１３０    蛍光体層
１４０ａ  第１補助電極
１４０ｂ  第２補助電極
【図１】
2006004946.tif 000003
【図２】
2006004946.tif 000004
【図３】
2006004946.tif 000005
【図４】
2006004946.tif 000006
【図５】
2006004946.tif 000007
【図６】
2006004946.tif 000008
【図７】
2006004946.tif 000009
【図８】
2006004946.tif 000010
【図９】
2006004946.tif 000011
【図１０】
2006004946.tif 000012
【図１１】
2006004946.tif 000013
【図１２】
2006004946.tif 000014
【図１３】
2006004946.tif 000015